(57)【要約】【課題】消費電力を抑えた照明器具を提供する。【解決手段】照明器具７は、ＬＥＤを有する光源部３４と、人を検出する人感センサ４１と、人感センサ４１の検出結果に応じてＬＥＤの調光レベルを設定する制御ユニット５１とを備える。制御ユニット５１は、夜間時間帯の始まりから所定の第１時間が経過するまでは、人感センサ４１の検出結果に関わらずＬＥＤの調光レベルを第１調光レベルに設定する。また制御ユニット５１は、上記第１時間が経過すると、ＬＥＤの調光レベルを第１調光レベルよりも低い第２調光レベルに設定し、ＬＥＤの調光レベルが第２調光レベルに設定された状態において人感センサ４１が人を検出すると、ＬＥＤの調光レベルを所定時間の間だけ第１調光レベルに設定する。これにより、ＬＥＤの調光レベルを第１調光レベルで維持する場合に比べて消費電力を抑えることができる。【選択図】図１
2014089830.tif 000002
【特許請求の範囲】
【請求項１】
ＬＥＤと、人を検出する人感センサと、前記人感センサの検出結果に応じて前記ＬＥＤの調光レベルを設定する制御部とを備え、
前記制御部は、夜間時間帯の始まりから所定の第１時間が経過するまでは、前記人感センサの検出結果に関わらず前記調光レベルを第１調光レベルに設定し、前記第１時間が経過すると、前記調光レベルを前記第１調光レベルよりも低い第２調光レベルに設定し、前記調光レベルが前記第２調光レベルに設定された状態において前記人感センサが人を検出すると、前記調光レベルを所定時間の間だけ前記第１調光レベルに設定することを特徴とする照明器具。
【請求項２】
前記制御部は、前記第１時間が経過してから所定の第２時間が経過すると、前記人感センサの検出結果に関わらず前記調光レベルを前記第２調光レベルに設定することを特徴とする請求項１記載の照明器具。
【発明の詳細な説明】
【技術分野】
【０００１】
本発明は、照明器具に関するものである。
【背景技術】
【０００２】
従来、ポールの先端に取り付けられて街路灯や道路灯として用いられる照明器具が提供されている（例えば特許文献１参照）。この照明器具は、全体が略球形に形成された灯体と、灯体の内部に収容される光源とを備え、さらに灯体は、半球状のカバーと、半球状且つ透光性を有するグローブと、光源からの光を下方に反射させる反射鏡と、ポールが挿入されて固定されるホルダとで構成される。そして、この照明器具によれば、光源から放射された光及び反射鏡で反射された光が下側に配置されたグローブを透過し、さらにグローブを透過した光がポールを中心とした下方全周方向に照射される。
【先行技術文献】
【特許文献】
【０００３】
【特許文献１】特開２０１０−２７２３２５号公報
【発明の概要】
【発明が解決しようとする課題】
【０００４】
上述の特許文献１に示した照明器具では、光源としてメタルハライドランプを用いており、ＥＥスイッチなどによるＯＮ／ＯＦＦ制御は可能であるが、調光制御はできないため、人がいない状態であっても１００％の出力で点灯させることしかできず、その結果、消費電力が大きくなっていた。
【０００５】
本発明は上記問題点に鑑みて為されたものであり、その目的とするところは、消費電力を抑えた照明器具を提供することにある。
【課題を解決するための手段】
【０００６】
本発明の照明器具は、ＬＥＤと、人を検出する人感センサと、人感センサの検出結果に応じてＬＥＤの調光レベルを設定する制御部とを備える。制御部は、夜間時間帯の始まりから所定の第１時間が経過するまでは、人感センサの検出結果に関わらず調光レベルを第１調光レベルに設定する。また制御部は、第１時間が経過すると、調光レベルを第１調光レベルよりも低い第２調光レベルに設定し、調光レベルが第２調光レベルに設定された状態において人感センサが人を検出すると、調光レベルを所定時間の間だけ第１調光レベルに設定する。
【０００７】
この照明器具において、制御部は、第１時間が経過してから所定の第２時間が経過すると、人感センサの検出結果に関わらず調光レベルを第２調光レベルに設定するのが好ましい。
【発明の効果】
【０００８】
第１時間が経過すると、ＬＥＤの調光レベルを第１調光レベルよりも低い第２調光レベルに設定し、人感センサが人を検出したときのみ一時的に第１調光レベルに設定するので、ＬＥＤの調光レベルを第１調光レベルで維持する場合に比べて消費電力を抑えることができるという効果がある。
【図面の簡単な説明】
【０００９】
【図１】本実施形態の照明器具の一例を示す概略ブロック図である。
【図２】（ａ）〜（ｄ）は同上の動作を説明するためのタイムチャートである。
【図３】（ａ）〜（ｄ）は同上の別の動作を説明するためのタイムチャートである。
【図４】（ａ）、（ｂ）は同上の一部省略せる外観図である。
【図５】同上に用いられる灯具の断面図である。
【図６】同上に用いられる接続ユニットの一部省略せる断面図である。
【発明を実施するための形態】
【００１０】
以下に、照明器具の実施形態について図１〜図６を参照して説明する。本実施形態の照明器具７は、例えば地面から立設されたポール１（図４（ａ）参照）の先端に取り付けられ、ポール１周辺の地面を照らす街路灯や公園灯、道路灯として用いられる。なお、以下の説明では特に断りがない限り、図４（ａ）に示す向きにおいて上下左右の方向を規定して説明を行う。
【００１１】
本実施形態の照明器具７は、図４（ａ）及び図４（ｂ）に示すように、ポール１の先端に取り付けられる接続ユニット２と、接続ユニット２を介してポール１に取り付けられる灯具３とで構成される。
【００１２】
ポール１は、図４及び図６に示すように、上下方向に長い鋼管（例えばＳＴＫ４００など）からなるポール本体１１を有し、ポール本体１１の先端（上端）には小径部１２が一体に設けられている。また、小径部１２の内側面における上端部には、ワイヤ５の一端を固定するための固定ねじ１０５がねじ込まれるナット部１３，１３が左右両側にそれぞれ溶接されている（図６参照）。
【００１３】
接続ユニット２は、図６に示すように、上下方向に長い鋼管（例えばＳＴＫ４００など）からなるユニット本体２１を有し、ユニット本体２１の先端（上端）には小径部２２が一体に設けられている。また、ユニット本体２１の外側面には、上下方向に長い矩形の開口部２１１が設けられている。この開口部２１１は、ユニット本体２１の内面に取り付けられた張力止め金具２５にワイヤ５の他端を固定する作業を行うために設けられたものであり、上記作業後には蓋２４により閉塞される（図４（ａ）参照）。
【００１４】
また、ユニット本体２１において開口部２１１よりも下側には、後述のセンサ装置４が着脱自在に取り付けられる筒状の被取付部２３，２３が左右両側にそれぞれ設けられている。各被取付部２３の外側面には、センサ装置４を固定するための固定ねじ１０２がねじ込まれるねじ孔（図示せず）がそれぞれ２個ずつ設けられており、さらに各被取付部２３の底面部には、センサ装置４の人感センサ４１に電気的に接続された電線４４（電源線及び調光信号線）を通すための通線孔２１２がそれぞれ設けられている。なお、電線４４の先端にはコネクタ４４１が設けられており、このコネクタ４４１は、後述の制御ユニット５１に電気的に接続された電線（図示せず）の先端に設けたコネクタ（図示せず）に接続される。
【００１５】
ここに、ワイヤ５の他端が固定される張力止め金具２５は、図６に示すように左右方向に長い矩形板状に形成されており、張力止め金具２５の左右方向における中央部で且つ上下方向における下端部には、張力止め金具２５の一部を切り起こすことで形成されたＬ字状の固定部２５１が設けられている。この固定部２５１には、ねじ込み可能な形で固定ねじ１０６が取り付けられており、この固定ねじ１０６と固定部２５１とでワイヤ５の他端を挟み込むことで、ワイヤ５が張力止め金具２５に固定される。
【００１６】
センサ装置４は、例えばドップラー効果を利用して人を検出する電波式の人感センサ４１と、人感センサ４１を接続ユニット２に取り付けるための取付金具４２と、人感センサ４１を覆うようにして取付金具４２に取り付けられるカバー４３とを備える。人感センサ４１は、矩形箱状に形成されたセンサ本体４１１と、センサ本体４１１を支持する支持台４１２とを有し、支持台４１２の下部端縁には外向きに延出する鍔部４１３が一体に設けられている。カバー４３は、一面が開口する矩形箱状に形成されたカバー本体４３１を有し、カバー本体４３１の開口端縁には外向きに延出する鍔部４３２が一体に設けられている。ここに、人感センサ４１とカバー４３を組み付けた状態では、図６に示すように、支持台４１２の鍔部４１３及びカバー本体４３１の鍔部４３２を挟み込むようにパッキン４５が取り付けられる。
【００１７】
取付金具４２は、ユニット本体２１に設けた被取付部２３が差し込まれる筒状の支持部４２１を有し、支持部４２１の外側面には、固定ねじ１０２を挿通するための挿通孔（図示せず）が、被取付部２３に設けたねじ孔と重なる位置に設けられている。また、支持部４２１の先端には、一面が開口する箱状に形成された取付部４２２が一体に設けられており、この取付部４２２の開口面には、カバー４３のカバー本体４３１が挿通可能な開口部を有する枠体４２３が固定ねじ１０３を用いて取り付けられる。さらに、取付部４２２の底面部には、人感センサ４１に電気的に接続された電線４４を通すための通線孔４２２ｂが設けられている。ここに、人感センサ４１及びカバー４３を取付金具４２に組み付けた状態では、図６に示すように、カバー４３に取り付けられたパッキン４５を取付部４２２の開口端縁と枠体４３２の枠辺とで挟み込むことで、人感センサ４１及びカバー４３が取付金具４２に保持される。なお、センサ装置４の組立手順については後述する。
【００１８】
灯具３は、図５に示すように、光源部３４と、光源部３４に電力を供給する電源ユニット３５と、光源部３４の点灯状態を制御する制御ユニット５１（制御部）と、光源部３４、電源ユニット３５及び制御ユニット５１を保持する灯具本体３１とを備える。また灯具３は、光源部３４を覆うようにして灯具本体３１に取り付けられるグローブ３２と、灯具本体３１の上側開口を塞ぐカバー３３とを備える。
【００１９】
光源部３４は、熱伝導率の高い材料（例えばアルミニウム、アルミニウム合金、銅、ステンレスなど）からなる放熱部材３４１を有し、放熱部材３４１の上面（図５中の下面）には、ＬＥＤが実装された実装基板（図示せず）が取り付けられている。また、光源部３４は、ＬＥＤから放射される光の配光を制御するドーム状のレンズ部３４２を有し、このレンズ部３４２は、ＬＥＤを覆うようにして放熱部材３４１に取り付けられている。
【００２０】
制御ユニット５１は、センサ装置４の検出結果に応じた調光信号を作成して電源ユニット３５に出力し、電源ユニット３５は、上記調光信号に応じた電力を光源部３４に供給する。なお、詳細については後述する。
【００２１】
灯具本体３１は、金属材料（例えばアルミニウム、アルミニウム合金、ステンレスなど）により形成され、下面及び上面が開口する椀状の本体部３１１と、中空の四角錐台形状に形成され光源部３４を保持する保持部３１３と、保持部３１３の平板部３１５に一体に設けられ接続ユニット２に固定される固定部３１２とを有する。
【００２２】
本体部３１１は、上述したように椀状に形成されており、この本体部３１１の上面中央には円形の開口部３１７が設けられ、さらに開口部３１７よりも外側には複数の凹部３１６が周方向に沿って設けられている。また、各凹部３１６の底部には、固定ねじ（図示せず）を挿通するための挿通孔３１６ａがそれぞれ設けられている。さらに、開口部３１７の開口端縁には、四角錐台形状の保持部３１３が一体に形成されている。なお、本体部３１１の開口部３１７には、開口部３１７の開口寸法よりも大きい外径寸法に形成されたカバー３３が着脱自在に取り付けられるようになっており、例えば制御ユニット５１の設定（光源部３４の調光レベルなど）を変えたり、電源ユニット３５や制御ユニット５１を交換する際に着脱される。
【００２３】
保持部３１３は、平板部３１５と、平板部３１５の端縁から延出し上側に行くほど外側に傾斜する４つの傾斜部３１４とで四角錐台形状に形成され、各傾斜部３１４の上端部分で本体部３１１と一体になっている。そして、各傾斜部３１４の下面には、光源部３４がそれぞれ１個ずつ取り付けられており、各光源部３４からの光は斜め下方に向けて照射される。また、平板部３１５の下部中央には、円筒状の固定部３１２が一体に形成されている。さらに、平板部３１５には、後述の落下防止装置３８のワイヤ３８１を挿通するための挿通孔３１５ａ，３１５ｂと、制御ユニット５１に電気的に接続された電線（図示せず）を挿通するための挿通孔３１５ｃとが設けられている。
【００２４】
ここに、各傾斜部３１４及び本体部３１１の内周面には白色塗装が施されており、これにより光源部３４から放射される光の反射光率を向上させている。また、挿通孔３１５ａ，３１５ｃは固定部３１２の筒内と連通する位置に設けられ、挿通孔３１５ｂは固定部３１２よりも外側の位置に設けられている。さらに、電源ユニット３５及び制御ユニット５１は、平板部３１５及び４つの傾斜部３１４に囲まれた空間ｓ１内に配置されており、光源部３４からの光が電源ユニット３５及び制御ユニット５１によって遮られることはない。
【００２５】
固定部３１２は、接続ユニット２のユニット本体２１に設けた小径部２２（図６参照）が筒内に差し込まれた状態で灯具３を保持するものであり、内径寸法が小径部２２の外径寸法よりもわずかに大きく設定されている。また、固定部３１２の外径寸法は、ユニット本体２１の外径寸法と略同寸法に設定されており、灯具３をユニット本体２１に取り付けた状態では、継ぎ目部分の段差がない形で取り付けることができる（図４（ａ）及び図４（ｂ）参照）。さらに、固定部３１２の側面にはねじ孔３１２ａが設けられており、このねじ孔３１２ａにねじ込んだ固定ねじ（図示せず）の先端が小径部２２の外側面に当接することで灯具３がユニット本体２１に固定される。
【００２６】
また、固定部３１２の筒内には、挿通孔３１５ｃを通って筒内に配線された制御ユニット５１からの電線（図示せず）を固定するための固定部材３７が配置されている。この固定部材３７には、複数（図５では３個）の張力止め具３７１が設けられており、固定部材３７の長手方向（図５中の上下方向）に沿って配線された上記電線がこれらの張力止め具３７１を用いて固定部材３７に固定される。なお、上記電線の先端にはコネクタ（図示せず）が設けられており、センサ装置４の人感センサ４１に電気的に接続された電線４４の先端に設けたコネクタ４４１に上記コネクタを接続することで、人感センサ４１と制御ユニット５１とが電気的に接続される。
【００２７】
グローブ３２は、透光性材料（例えばアクリル樹脂など）により上面が開口する椀状に形成されている。グローブ３２の下面中央には、灯具本体３１の固定部３１２の外径寸法よりも開口寸法が大きい凹部３２１が設けられており、凹部３２１の底部３２２には、固定部３１２の外径寸法よりわずかに大きく設定された挿通孔３２２ａが設けられている。また、凹部３２１の底部３２２には、ワイヤ３８１を挿通するための挿通孔３２２ｂが設けられている。さらに、グローブ３２は、灯具本体３１の本体部３１１に設けた各凹部３１６と対応する部位に、ねじ孔（図示せず）を有する取付金具３９が取り付けられており、灯具本体３１にグローブ３２を組み付けた後、凹部３１６の挿通孔３１６ａに挿通させた固定ねじ（図示せず）を取付金具３９のねじ孔にねじ込むことで、グローブ３２が灯具本体３１に固定される。また、グローブ３２の内面（図５中の上面）には、複数の凹凸形状からなるプリズム部３２３が設けられており、光源部３４からの光がプリズム部３２３により拡散されて外部に照射されるようになっている。ここに、グローブ３２を灯具本体３１に取り付けた状態では、平板部３１５の挿通孔３１５ｂと底部３２２の挿通孔３２２ｂとが連通するようになっている。
【００２８】
また、グローブ３２は、灯具本体３１の固定部３１２を貫通させたリング状の取付金具３６を用いて灯具本体３１に固定されるようにもなっており、取付金具３６に設けた挿通孔（図示せず）に挿通させた固定ねじ（図示せず）を灯具本体３１の平板部３１５に設けたねじ孔（図示せず）にねじ込むことで、グローブ３２の凹部３２１の底部３２２が灯具本体３１の平板部３１５と取付金具３６の間で挟持され、グローブ３２が灯具本体３１に固定される。なお、灯具本体３１の平板部３１５とグローブ３２の凹部３２１の底部３２２の間、及び凹部３２１の底部３２２と取付金具３６の間には、それぞれ円形のパッキン（図示せず）が挿入されており、防水性が確保されている。
【００２９】
ここで、グローブ３２の外縁近傍にはリング状のパッキン４０が取り付けられており、このパッキン４０によって灯具本体３１との間の防水性を確保するようになっているが、上述の取付金具３６のみでグローブ３２を灯具本体３１に取り付けた場合には、外縁部分での密着度が弱く、防水性が十分に確保できない可能性がある。そこで、本実施形態では、灯具本体３１の各凹部３１６の挿通孔３１６ａにそれぞれ挿通させた固定ねじを対応する取付金具３９のねじ孔にねじ込むことで、グローブ３２と灯具本体３１の外縁部分での密着度を高め、防水性を確保している。
【００３０】
ところで、取付金具３６には、図５に示すように落下防止装置３８のワイヤ３８１の一端が取り付けられている。このワイヤ３８１の他端側は、グローブ３２の凹部３２１の底部３２２の挿通孔３２２ｂ及び灯具本体３１の平板部３１５の挿通孔３１５ｂを通り、さらに平板部３１５の挿通孔３１５ａを通って固定部３１２の筒内に挿入されており、先端には錘３８２が取り付けられている。そして、灯具３を組み立てた状態から取付金具３６を固定している固定ねじ（図示せず）を取り外すと、グローブ３２の自重によりグローブ３２及び取付金具３６が灯具本体３１から離れる方向（図５中の下方向）に移動するが、ワイヤ３８１に取り付けられた錘３８２が平板部３１５の挿通孔３１５ａの端縁部分に係止することで、グローブ３２が落下するのを防止することができる。
【００３１】
次に、灯具３の組立手順について説明する。なお以下の説明では、固定部材３７が予め固定部３１２に取り付けられているものとして説明を行う。まず最初に、作業者は、灯具本体３１の保持部３１３の各傾斜部３１４にそれぞれ光源部３４を取り付けるとともに、平板部３１５及び各傾斜部３１４に囲まれた空間ｓ１内に電源ユニット３５及び制御ユニット５１を配置する。続けて、作業者は、各光源部３４と電源ユニット３５の間を電源線３４３によりそれぞれ接続するとともに、制御ユニット５１に電気的に接続された電線（図示せず）を挿通孔３１５ｃを通して固定部３１２の筒内に配置した後、固定部材３７に固定する。
【００３２】
そして、作業者は、グローブ３２を下側から灯具本体３１に組み付けた後、取付金具３６を用いてグローブ３２を灯具本体３１に固定し、さらに灯具本体３１の本体部３１１に設けた各凹部３１６の挿通孔３１６ａに挿通させた固定ねじを取付金具３９のねじ孔にねじ込むことで、灯具本体３１とグローブ３２とがより密着した状態で結合される。このとき、灯具本体３１の固定部３１２は、グローブ３２の凹部３２１の底部３２２に設けた挿通孔３２２ａを通って外側に露出した状態になるが、その一部はグローブ３２の凹部３２１内に収納される（図５参照）。そして最後に、作業者が、落下防止装置３８のワイヤ３８１の一端側を、挿通孔３１５ａ，３１５ｂ，３２２ｂを通して取付金具３６に固定した後、灯具本体３１の開口部３１７をカバー３３により閉塞すると、灯具３の組み立てが完了する。
【００３３】
続けて、センサ装置４の組立手順について説明する。まず最初に、作業者は、人感センサ４１とカバー４３を組み付けた後、支持台４１２の鍔部４１３及びカバー本体４３１の鍔部４３２を挟み込むようにパッキン４５を取り付ける。次に、作業者は、人感センサ４１に接続された電線４４を取付金具４２の取付部４２２に設けた通線孔４２２ｂに通した後、一体に組み付けた人感センサ４１及びカバー４３を取付部４２２の開口端縁に載置する。そして、作業者が、枠体４２３の開口部にカバー４３のカバー本体４３１を挿通しながら枠体４２３を取付部４２２に組み付けた後、固定ねじ１０３を用いて枠体４２３を取付部４２２に固定すると、センサ装置４の組み立てが完了する。このとき、カバー４３に取り付けられたパッキン４５を取付部４２２の開口端縁と枠体４３２の枠辺で挟み込むことで、人感センサ４１及びカバー４３が取付金具４２に保持される。
【００３４】
さらに、センサ装置４を接続ユニット２に取り付ける手順について説明する。まず最初に、作業者は、センサ装置４の人感センサ４１に電気的に接続された電線４４を被取付部２３の筒内に挿通するとともに、ユニット本体２１の通線孔２１２を通してユニット本体２１内に配線する。次に、作業者は、取付金具４２の支持部４２１の筒内に被取付部２３を差し込んだ後、支持部４２１の挿通孔（図示せず）と被取付部２３のねじ孔（図示せず）の位置を合わせる。そして最後に、作業者が、上記挿通孔に挿通させた固定ねじ１０２を上記ねじ孔にねじ込むことで、センサ装置４が接続ユニット２に取り付けられる。
【００３５】
続けて、接続ユニット２及び灯具３をポール１に取り付ける手順について説明する。まず最初に、作業者は、ポール１の小径部１２に設けた一方（図６では左側）のナット部１３にねじ込んだ固定ねじ１０５とナット部１３の間にワイヤ５の一端を挟み込んで固定する。次に、作業者は、ユニット本体２１の下側の筒内に小径部１２を差し込んだ後、固定ねじ１０４を用いてユニット本体２１をポール本体１１に固定する。さらに、作業者は、ユニット本体２１に設けた開口部２１１を通してワイヤ５の他端側を上側に引き上げた後、ユニット本体２１の筒内に取り付けられた張力止め金具２５の固定部２５１にワイヤ５の他端を固定する。これにより、ポール１から接続ユニット２が落下するのを抑えることができる。
【００３６】
次に、作業者は、灯具３に設けた固定部材３７及び落下防止装置３８を接続ユニット２の小径部２２の筒内に挿通しながら、小径部２２を固定部３１２の筒内に差し込む。さらに、作業者は、固定ねじ（図示せず）を用いて固定部３１２を小径部２２に固定した後、ユニット本体２１に設けた開口部２１１を通して、制御ユニット５１に電気的に接続された電線（図示せず）に設けたコネクタ（図示せず）と、人感センサ４１に電気的に接続された電線４４に設けたコネクタ４４１とを接続する。そして最後に、作業者が、蓋２４によりユニット本体２１の開口部２１１を閉塞した後、固定ねじ１０１を用いて蓋２４をユニット本体２１に固定すると、接続ユニット２及び灯具３のポール１への取り付けが完了する。
【００３７】
ここで、図１は本実施形態の照明器具７の一例を示す概略ブロック図である。灯具３に設けられた電源ユニット３５及び制御ユニット５１には、分電盤６に内蔵された自動点滅器６１を介して所定の電力が供給されるようになっており、特に本実施形態では、自動点滅器６１としてＥＥスイッチを用いている。つまり、周囲が暗くなって所定の照度以下になると、ＥＥスイッチがオンになって電源ユニット３５及び制御ユニット５１への給電が開始され、周囲が明るくなって所定の照度よりも高くなると、ＥＥスイッチがオフになって電源ユニット３５及び制御ユニット５１への給電が停止される。また、制御ユニット５１は、給電が開始されると接続ユニット２に取り付けられた各人感センサ４１に対して動作電源を供給し、各人感センサ４１は、人を検出すると制御ユニット５１に対して所定の検出信号を出力する。そして、制御ユニット５１は、人感センサ４１から検出信号が入力されると、この検出信号に基づいて光源部３４の調光レベルを含む調光信号を作成し、作成した調光信号を電源ユニット３５に出力する。電源ユニット３５は、制御ユニット５１から入力された調光信号に含まれる調光レベルに応じた電力を各光源部３４に供給し、各光源部３４のＬＥＤを所定の調光レベルで点灯させる。
【００３８】
次に、照明器具７の動作について図２に示すタイムチャートを参照して説明する。周囲の照度が所定の照度よりも高い状態（つまり明るい状態）では（時刻ｔ１以前）、ＥＥスイッチはオフになっており、電源ユニット３５及び制御ユニット５１への給電は停止している。そしてこのとき、各光源部３４への給電も停止しているため、すべてのＬＥＤが消灯した状態にある。
【００３９】
時刻ｔ１のときに、周囲の照度が所定の照度以下（つまり暗くなった状態）になると、ＥＥスイッチがオンになって電源ユニット３５及び制御ユニット５１への給電が開始される。そしてこのとき、制御ユニット５１は、各人感センサ４１に対して動作電源を供給し、さらに光源部３４の調光レベルを第１調光レベルＬ１（例えば１００％）とする調光信号を作成して電源ユニット３５に出力する。そして、電源ユニット３５は、上記調光信号に含まれる第１調光レベルＬ１に応じた電力を各光源部３４に出力し、各光源部３４のＬＥＤを第１調光レベルＬ１で点灯させる。なおこのとき、制御ユニット５１は、タイマ（図示せず）により所定の第１時間Ｔ１のカウントを開始する。ここに本例では、夜間時間帯の始まり（つまり周囲が暗くなった状態）をＥＥスイッチにより検出しており、この夜間時間帯の始まりからの一定時間を第１時間Ｔ１としている。
【００４０】
時刻ｔ１から第１時間Ｔ１が経過する時刻ｔ２までの間は、制御ユニット５１は、人感センサ４１からの入力の有無（つまり人の検出の有無）に関わらず光源部３４の調光レベルを第１調光レベルＬ１に設定しており、光源部３４のＬＥＤは第１調光レベルＬ１で点灯する。
【００４１】
時刻ｔ２になると、制御ユニット５１は、光源部３４の調光レベルを第１調光レベルＬ１よりも低い第２調光レベルＬ２（例えば５０％）に設定し、この第２調光レベルＬ２を含む調光信号を作成して電源ユニット３５に出力する。電源ユニット３５は、制御ユニット５１から調光信号を受け取ると、この調光信号に含まれる第２調光レベルＬ２に応じた電力を生成して各光源部３４に出力し、各光源部３４のＬＥＤを第２調光レベルＬ２で点灯させる。
【００４２】
次に、時刻ｔ３のときに、人感センサ４１が人を検出し、制御ユニット５１に対して所定の検出信号を出力すると、制御ユニット５１は、この検出信号に基づいて光源部３４の調光レベルを第１調光レベルＬ１とする調光信号を作成し、電源ユニット３５に出力する。電源ユニット３５は、制御ユニット５１から調光信号を受け取ると、この調光信号に含まれる第１調光レベルＬ１に応じた電力を生成し、各光源部３４に対して所定時間Ｔ２の間だけ上記電力を出力する。そして、各光源部３４のＬＥＤは、上記電力により所定時間Ｔ２の間だけ第１調光レベルＬ１で点灯する。なお、所定時間Ｔ２が経過すると、制御ユニット５１は、次の検出信号が入力されるまで、光源部３４の調光レベルを第２調光レベルＬ２とする調光信号を作成し、以下同様の処理を経て、各光源部３４のＬＥＤが第２調光レベルＬ２で点灯する。
【００４３】
時刻ｔ４のときに、周囲の照度が所定の照度よりも高くなると、ＥＥスイッチがオフになって電源ユニット３５及び制御ユニット５１への給電が停止される。これにより、各光源部３４への給電も停止されるため、すべてのＬＥＤが消灯する。また、時刻ｔ５のときに、周囲の照度が所定の照度以下になると、上述した時刻ｔ１〜時刻ｔ４までの動作を行う。
【００４４】
而して本例によれば、第１時間Ｔ１が経過すると、光源部３４の調光レベルを第１調光レベルＬ１よりも低い第２調光レベルＬ２に設定し、人感センサ４１が人を検出したときのみ一時的に第１調光レベルＬ１に設定するので、光源部３４の調光レベルを第１調光レベルＬ１で維持する場合に比べて消費電力を抑えることができる。つまり本例によれば、夜間時間帯でも人が比較的多い時間帯にはＬＥＤをフル点灯（１００％の出力で点灯）させることで一定の照明を得ることができ、人が少なくなると人感センサ４１の検出結果に応じて調光制御を行うことで消費電力を抑えることができるのである。また、人が多い時間帯において人感センサ４１の検出結果に応じて調光レベルを変化させた場合には、ＬＥＤの明るさが頻繁に変わることから違和感を感じることがあるが、本例のように人が多い時間帯におけるＬＥＤの調光レベルを一定（第１調光レベルＬ１）とすることで、上述のような違和感を解消することができる。
【００４５】
次に、照明器具７の別の動作について図３に示すタイムチャートを参照して説明する。周囲の照度が所定の照度よりも高い状態（つまり明るい状態）では（時刻ｔ１以前）、ＥＥスイッチはオフになっており、電源ユニット３５及び制御ユニット５１への給電は停止している。そしてこのとき、各光源部３４への給電も停止しているため、すべてのＬＥＤが消灯した状態にある。
【００４６】
時刻ｔ１のときに、周囲の照度が所定の照度以下（つまり暗くなった状態）になると、ＥＥスイッチがオンになって電源ユニット３５及び制御ユニット５１への給電が開始される。そしてこのとき、制御ユニット５１は、各人感センサ４１に対して動作電源を供給し、さらに光源部３４の調光レベルを第１調光レベルＬ１（例えば１００％）とする調光信号を作成して電源ユニット３５に出力する。そして、電源ユニット３５は、上記調光信号に含まれる第１調光レベルＬ１に応じた電力を各光源部３４に出力し、各光源部３４のＬＥＤを第１調光レベルＬ１で点灯させる。なおこのとき、制御ユニット５１は、タイマ（図示せず）により所定の第１時間Ｔ１のカウントを開始する。ここに本例においても、夜間時間帯の始まり（つまり周囲が暗くなった状態）をＥＥスイッチにより検出しており、この夜間時間帯の始まりからの一定時間を第１時間Ｔ１としている。
【００４７】
時刻ｔ１から第１時間Ｔ１が経過する時刻ｔ２までの間は、制御ユニット５１は、人感センサ４１からの入力の有無（つまり人の検出の有無）に関わらず光源部３４の調光レベルを第１調光レベルＬ１に設定しており、光源部３４のＬＥＤは第１調光レベルＬ１で点灯する。
【００４８】
時刻ｔ２になると、制御ユニット５１は、光源部３４の調光レベルを第１調光レベルＬ１よりも低い第２調光レベルＬ２（例えば５０％）に設定し、この調光レベルＬ２を含む調光信号を電源ユニット３５に出力する。電源ユニット３５は、制御ユニット５１から調光信号を受け取ると、この調光信号に含まれる第２調光レベルＬ２に応じた電力を生成して各光源部３４に出力し、各光源部３４のＬＥＤを第２調光レベルＬ２で点灯させる。なおこのとき、制御ユニット５１は、タイマ（図示せず）により第２時間Ｔ３のカウントを開始する。
【００４９】
次に、時刻ｔ３のときに、人感センサ４１が人を検出し、制御ユニット５１に対して所定の検出信号を出力すると、制御ユニット５１は、この検出信号に基づいて光源部３４の調光レベルを第１調光レベルＬ１とする調光信号を作成し、電源ユニット３５に出力する。電源ユニット３５は、制御ユニット５１から調光信号を受け取ると、この調光信号に含まれる第１調光レベルＬ１に応じた電力を生成し、各光源部３４に対して所定時間Ｔ２の間だけ上記電力を出力する。そして、各光源部３４のＬＥＤは、上記電力により所定時間Ｔ２の間だけ第１調光レベルＬ１で点灯する。なお、所定時間Ｔ２が経過すると、制御ユニット５１は、次の検出信号が入力されるまで、光源部３４の調光レベルを第２調光レベルＬ２とする調光信号を作成し、以下同様の処理を経て、各光源部３４のＬＥＤが第２調光レベルＬ２で点灯する。
【００５０】
時刻ｔ２から第２時間Ｔ３が経過する時刻ｔ６のときに、制御ユニット５１は、人感センサ４１からの入力の有無（つまり人の検出の有無）に関わらず光源部３４の調光レベルを第２調光レベルＬ２に設定し、これ以降、光源部３４のＬＥＤは第２調光レベルＬ２で点灯する。
【００５１】
時刻ｔ４のときに、周囲の照度が所定の照度よりも高くなると、ＥＥスイッチがオフになって電源ユニット３５及び制御ユニット５１への給電が停止される。これにより、各光源部３４への給電も停止されるため、すべてのＬＥＤが消灯する。また、時刻ｔ５のときに、周囲の照度が所定の照度以下になると、上述した時刻ｔ１〜時刻ｔ４までの動作を行う。
【００５２】
而して本例によれば、第２時間Ｔ３が経過すると、人感センサ４１の検出結果に関わらず光源部３４の調光レベルを第２調光レベルＬ２に設定するので、上記例（図２の例）に比べて消費電力をさらに抑えることができる。つまり本例によれば、さらに人が少なくなる深夜帯の調光レベルを第２調光レベルＬ２で一定とすることで、消費電力をさらに抑えることができるのである。
【００５３】
なお本実施形態では、第１調光レベルＬ１を１００％、第２調光レベルＬ２を５０％としたが、第１調光レベルＬ１が第２調光レベルＬ２よりも大きくなっていれば他の組み合わせでもよく、本実施形態に限定されない。また本実施形態では、ＥＥスイッチにより電源ユニット３５及び制御ユニット５１への給電を制御したが、電源ユニット３５及び制御ユニット５１への給電をタイマにより制御してもよく、本実施形態に限定されない。
【００５４】
さらに、第１時間Ｔ１、第２時間Ｔ３及び所定時間Ｔ２については、設置場所や利用者などに応じて適宜設定すればよい。また本実施形態では、地面から立設されたポール１に取り付けられる照明器具７を例に説明したが、人が通行する際に照明を必要とするような場所に設けられるものであればよく、本実施形態に限定されない。さらに本実施形態では、ＥＥスイッチにより夜間時間帯の始まりを検出し、この夜間時間帯の始まりからの一定時間を第１時間Ｔ１としたが、夜間時間帯の始まりを予め設定した時刻（例えば夜７時）とし、この時間からの一定時間（例えば夜９時までの時間）を第１時間Ｔ１としてもよい。但しこの場合、制御ユニット５１に計時機能を設ける必要がある。
【符号の説明】
【００５５】
２  接続ユニット
３  灯具
７  照明器具
３４  光源部
４１  人感センサ
５１  制御ユニット（制御部）
【図１】
2014089830.tif 000003
【図２】
2014089830.tif 000004
【図３】
2014089830.tif 000005
【図４】
2014089830.tif 000006
【図５】
2014089830.tif 000007
【図６】
2014089830.tif 000008